【手続補正書】
【提出日】平成19年10月30日(2007.10.30)
【手続補正１】
【補正対象書類名】明細書
【補正対象項目名】特許請求の範囲
【補正方法】変更
【補正の内容】
【特許請求の範囲】
【請求項１】
管理装置は、顧客が支払う金額を数値などで表わされるポイントとして顧客のアカウントに記録するが、この際に管理装置は、このアカウントと顧客が鍵として使用する携帯端末に係る識別符号とを一対一対応させて記録し、顧客が管理装置に携帯端末に係る識別符号と錠に係る識別符号とを通知したら携帯端末に係る識別符号を確認した上で、携帯端末に係る識別符号と錠に係る識別符号とを一対一対応させて記録して、前記アカウントと携帯端末に係る識別符号と錠に係る識別符号とを紐付けると共に、錠に係る識別符号に対応する錠を操作し、次に顧客が管理装置に携帯端末に係る識別符号を通知したら携帯端末に係る識別符号を確認した上で、この識別符号に対応する錠に係る識別符号を調べてその錠の操作を行ない、更に上記何れかの錠操作の時点で顧客のアカウントからポイントを所定数だけ減じて記録することを特徴とする、錠方法。
【請求項２】
管理装置は、顧客が支払う金額を数値などで表わされるポイントとして顧客のアカウントに記録するが、この際に管理装置は、このアカウントと顧客が鍵として使用する携帯端末に係る識別符号とを一対一対応させて記録し、顧客が管理装置に携帯端末に係る識別符号と錠に係る識別符号とを通知したら携帯端末に係る識別符号を確認した上で、携帯端末に係る識別符号と錠に係る識別符号とを一対一対応させて記録して、前記アカウントと携帯端末に係る識別符号と錠に係る識別符号とを紐付けると共に、錠に係る識別符号に対応する錠を操作し、次に顧客が管理装置に携帯端末に係る識別符号と錠に係る識別符号との２つの識別符号を通知したら携帯端末に係る識別符号を確認した上で、前記錠に係る識別符号に一致する錠の操作を行ない、更に上記何れかの錠操作の時点で顧客のアカウントからポイントを所定数だけ減じて記録することを特徴とする、錠方法。
【請求項３】
前記管理装置は、ポイントの販売時またはポイントの徴収時に印刷装置等の出力装置からこのポイントに係る記録を発行する、請求項１または請求項２に記載の錠方法。
【請求項４】
前記管理装置は、所定時間が経過したらアカウントからポイントを所定数だけ減じて記録する、請求項１または請求項２に記載の錠方法。
【請求項５】
前記管理装置は、顧客のアカウントに係る記憶装置にポイントを補充して記録する、請求項１または請求項２に記載の錠方法。
【請求項６】
前記携帯端末が携帯電話であり、通話回線または呼び出し回線を利用して前記管理装置にこの携帯端末に係る識別符号を通知する、請求項１または請求項２に記載の錠方法。
【請求項７】
前記携帯端末が通信可能なカードであり、無線で前記管理装置にこの携帯端末に係る識別符号を通知する、請求項１または請求項２に記載の錠方法。
【請求項８】
前記管理装置は、地理的に離れた複数の前記錠を管理する、請求項１または請求項２に記載の錠方法。
【請求項９】
前記携帯端末から錠に係る識別符号を前記管理装置に通知する、請求項２に記載の錠方法。
【請求項１０】
前記管理装置側の入力端末から錠に係る識別符号をこの管理装置に通知する、請求項２に記載の錠方法。
【請求項１１】
前記管理装置側の入力端末に無線装置が設けられており、この無線装置を介して前記識別符号を通知する、請求項１０に記載の錠方法。
【請求項１２】
管理装置は、顧客が支払う金額を数値などで表わされるポイントとして顧客のアカウントに係る記憶装置に記録するが、この際に管理装置は、このアカウントと顧客が鍵として使用する携帯端末に係る識別符号とを一対一対応させて記憶装置に記録し、受信装置は顧客からの携帯端末に係る識別符号と錠に係る識別符号とを受けて前記管理装置へ通知し、この管理装置は携帯端末に係る識別符号を確認した上で、携帯端末に係る識別符号と錠に係る識別符号とを一対一対応させて記憶装置に記録して、前記アカウントと携帯端末に係る識別符号と錠に係る識別符号とを紐付けると共に、錠に係る識別符号に対応する錠を操作し、次に受信装置は顧客からの携帯端末に係る識別符号を受けたら前記管理装置へ通知し、この管理装置は携帯端末に係る識別符号を確認した上で、この識別符号に対応する錠に係る識別符号を調べてその錠の操作を行ない、更に前記管理装置は上記何れかの錠操作の時点で顧客のアカウントに係る記憶装置にこのアカウントからポイントを所定数だけ減じて記録することを特徴とする、錠システム。
【請求項１３】
管理装置は、顧客が支払う金額を数値などで表わされるポイントとして顧客のアカウントに係る記憶装置に記録するが、この際に管理装置は、このアカウントと顧客が鍵として使用する携帯端末に係る識別符号とを一対一対応させて記憶装置に記録し、受信装置は顧客からの携帯端末に係る識別符号と錠に係る識別符号とを受けて前記管理装置へ通知し、この管理装置は携帯端末に係る識別符号を確認した上で、携帯端末に係る識別符号と錠に係る識別符号とを一対一対応させて記憶装置に記録して、前記アカウントと携帯端末に係る識別符号と錠に係る識別符号とを紐付けると共に、錠に係る識別符号に対応する錠を操作し、次に受信装置は顧客からの携帯端末に係る識別符号と錠に係る識別符号との２つの識別符号を受けたら前記管理装置へ通知し、この管理装置は携帯端末に係る識別符号を確認した上で、前記錠に係る識別符号に一致する錠の操作を行ない、更に前記管理装置は上記何れかの錠操作の時点で顧客のアカウントに係る記憶装置にこのアカウントからポイントを所定数だけ減じて記録することを特徴とする、錠システム。
【請求項１４】
前記管理装置は、ポイントの販売時またはポイントの徴収時に、プリンタ等の出力装置を用いてこのポイントに係る記録を発行する、請求項１２または請求項１３に記載の錠システム。
【請求項１５】
前記管理装置は、報時装置を用いて経過時間をカウントして、所定時間が経過したら顧客のアカウントに係る記憶装置からポイントを所定数だけ減じてこの記憶装置に記録する、請求項１２または請求項１３に記載の錠システム。
【請求項１６】
前記管理装置は、ポイントの販売時に、顧客のアカウントに係る記憶装置にポイントを補充して記録する、請求項１２または請求項１３に記載の錠システム。
【請求項１７】
前記携帯端末が携帯電話であり、前記管理装置は通話回線または呼び出し回線を利用してこの携帯端末に係る識別符号を受信する、請求項１２または請求項１３に記載の錠システム。
【請求項１８】
前記携帯端末が通信可能なカードであり、前記管理装置は無線でこの携帯端末に係る識別符号を受信する、請求項１２または請求項１３に記載の錠システム。
【請求項１９】
前記管理装置は、地理的に離れた複数の前記錠を管理するものである、請求項１２または請求項１３に記載の錠システム。
【請求項２０】
前記管理装置は前記携帯端末から錠に係る識別符号を受信する、請求項１３に記載の錠システム。
【請求項２１】
前記管理装置は前記管理装置側の入力端末から錠に係る識別符号を受信する、請求項１３に記載の錠システム。
【請求項２２】
前記入力端末に無線装置が設けられており、前記管理装置はこの無線装置を介して前記錠に係る識別符号を受信する、請求項２１に記載の錠システム。
【手続補正２】
【補正対象書類名】明細書
【補正対象項目名】０００９
【補正方法】変更
【補正の内容】
【０００９】
顧客が鍵として使用する携帯端末に係る識別符号とは、携帯電話であればこの端末固有の電話番号であったり端末固有の装置番号のことである。あるいはこの携帯端末の記憶装置に記録したパスワード等であってもよい。顧客のアカウントにポイントを販売するとは、支払い済みの金額をポイントとして数値などで記録しておくことを言う。従ってまずはこのポイントと携帯端末に係る識別符号とが一対一対応で紐付けされ、正規の顧客はサービスが受けられる状態と成る。一対一対応で紐付けされるのはアカウントであるが、このアカウントのポイントが０または不足の状態ではサービスを受けることが出来ないため、紐付けされるのはポイントであると考える。次に携帯端末に係る識別符号によって認証された顧客が錠に係る識別符号を通知すると、これは顧客がサービスを受けたいとするものに設けられた錠であるから、システムはこの錠を操作すると共に、携帯端末に係る識別符号とこの錠とを一対一対応で紐付けする。従ってこの時点でポイントと携帯端末に係る識別符号と錠との３者が紐付けされたことに成る。次に顧客がこのサービスを受けることを終了する際には、携帯端末に係る識別符号によって認証を行ない、認証されたら前記紐を辿って対応する錠の操作を行なう。なお錠の操作は「施錠−開錠」または「開錠−施錠」の２度行なわれるが、この何れかの時点で前記紐を辿って対応するポイントを所定料金分だけ減じて記録する。
【手続補正３】
【補正対象書類名】明細書
【補正対象項目名】００１１
【補正方法】変更
【補正の内容】
【００１１】
まず前記ポイントと携帯端末に係る識別符号とを一対一対応で紐付けし、正規の顧客をサービスが受けられる状態にする。次に携帯端末に係る識別符号により認証された顧客が錠に係る識別符号を通知すると、これは顧客がサービスを受けたいとするものに設けられた錠であるから、システムはこの錠を操作すると共に携帯端末に係る識別符号とこの錠とを一対一対応で紐付けする。従ってこの時点でポイントと携帯端末に係る識別符号と錠との３者が紐付けされたことに成る。次に顧客がこのサービス購入を終了する場合には、携帯端末に係る識別符号によって認証を受けると共に錠に係る識別符号をシステムに通知する。これにより対応する錠の確認と操作とを行なう。なおこの発明に於いても錠の操作は「施錠−開錠」または「開錠−施錠」の２度行なわれるが、この何れかの時点で前記紐を辿って対応するポイントを所定料金分だけ減じて記録する。
【手続補正４】
【補正対象書類名】明細書
【補正対象項目名】００１２
【補正方法】変更
【補正の内容】
【００１２】
このように上記何れの発明に於いても、ポイントと携帯端末に係る識別符号と錠との３者を紐付けすることにより、携帯端末に係る識別符号によって顧客は簡単に認証が受けられることに成り、同時にアカウントからポイントによる支払いが行なわれるため、円滑な錠操作と安全な支払いとが可能に成る。従来のような料金引き落としのためにクレジットカード番号や暗証番号などのやり取りをしないから安全である。このような処理の実現には大掛かりな処理センターやソフトウェアを組む必要がない。例えば二輪車の駐車場であって、携帯端末に携帯電話を用いるシステムとすれば、駐車場内にポストのような管理装置を設置しておくだけで、顧客の携帯電話に対する紐付けをここで行なうことが出来る。また携帯端末、特には携帯電話の電話番号を使うのでセキュリティー度が高い。プリペイドカードのようなものを携帯したり使用する必要もない。
【手続補正５】
【補正対象書類名】明細書
【補正対象項目名】００１４
【補正方法】変更
【補正の内容】
【００１４】
次に前記管理装置は、所定時間が経過したらアカウントからポイントを所定数だけ減じて記録するものとすることが出来る。これは例えばレンタカーに適用することが可能であり、予定返却時間を越えたものに関してや、時間貸しに関して適用することが出来る。何れにしても貸出時にポイントと携帯端末に係る識別符号と錠との３者を対応させて紐付けしていることに変わりはない。
【手続補正６】
【補正対象書類名】明細書
【補正対象項目名】００３７
【補正方法】変更
【補正の内容】
【００３７】
【発明の効果】
以上この発明は、顧客に販売したポイントと、顧客が鍵として使用する携帯端末の識別符号と、錠に係る識別符号と、の３者を対応させて記録し、携帯端末の識別符号の通知を受けることで、施錠・開錠とポイントの引き落としとを行なうようにしたものである。